(57)【要約】      （修正有）【課題】遊戯の結果としてのコイン収支枚数を表示せる方法としては、コイン収支枚数表示器などの専用装置をスロットマシンに設置して表示させる方法しかなかった。【解決手段】コイン不要装置１は、スロットマシン本体にコイン投入動作を行うと同時にＣＰＵ１の収支カウンタの値を１減算し、またスロットマシン本体にコイン排出動作を行うと同時にＣＰＵ１の収支カウンタの値を１加算する。収支カウンタの値は常に収支カウンタ表示器１０に表示されるので遊技者に遊技の結果である収支枚数の把握が容易に行えるようにした。【選択図】  図１
2006034932.tif 000002
【特許請求の範囲】
【請求項１】
スロットマシンに用いられるコイン不要装置であって、
ベットスイッチによりスロット本体にコイン１枚の投入動作を行うと同時に１値を減算し、コイン１枚排出動作を行うと同時に１値を加算する収支カウンタと収支カウンタの値を表示する表示器とを具備することを特徴とするコイン不要装置。
【請求項２】
前記収支カウンタは、値が変更された時に常に値を不揮発メモリに記録し、電源投入時に不揮発メモリの値を読み込み収支カウンタの値にセットすることで前回のまでの収支カウンタの値から収支計算を継続できることを特徴とする請求項１記載のコイン不要装置。
【請求項３】
前記表示器は、収支カウンタ表示器をケーブルとコネクターによりコイン不要装置本体から離れた場所に設置できることを特徴とする請求項１記載のコイン不要装置。
【請求項４】
前記収支カウンタは、収支カウンタリセットスイッチにより、収支カウンタの値を０にリセットすることを特徴とする請求項１記載のコイン不要装置。
【発明の詳細な説明】
【技術分野】
【０００１】本発明はスロットマシンに用いられるコイン不要装置に関する。
【背景技術】
【０００２】従来のスロットマシン用コイン不要装置は、スロットマシンのに使用するコインの代わりにコイン使用時と同等な電気的信号をスロットマシンに与えて、コインの代用として遊技するための装置でしかなかった。スロットマシンに取り付けられたコイン不要装置を用いて遊技することにより、実コインの面倒な取り扱いから開放された遊技者にとって、次の要望は遊技の結果としてのコイン収支枚数を簡易に認識できることが要望をされていた。
【発明の開示】
【発明が解決しようとする課題】
【０００３】スロットマシンを遊技する者にとって、ベットしたコイン枚数と入賞により払い出されたコイン枚数との収支枚数は、遊技の結果を示す情報として重要である。従来、スロットマシンにコイン不要装置を用いて遊技をする場合において、実コインを使用していないことから遊技結果のコインの収支の計数が困難であった。また、遊戯の結果としてのコイン収支枚数は、コイン収支枚数表示器などの専用装置をスロットマシンに別途設置して収支のコイン枚数を表示させる方法しかなかった。
【課題を解決するための手段】
【０００４】前述の課題を解決するために、本発明は、スロットマシンに用いられるコイン不要装置であって、ベットスイッチによりスロット本体にコイン投入動作を行うと同時に１値を減算し、コイン排出信号の出力時に１値を加算する収支カウンタと収支カウンタの値を常に表示する表示器とを具備することを特徴とするコイン不要装置が提供される。【０００５】この、コイン不要装置に備わる収支カウンタの値を表示する表示器は、ケーブルとコネクターによりコイン不要装置本体から電気的に接続され、コイン不要装置本体から離れた場所にも設置できることを特徴とする。【０００６】また本発明は、電源投入時に前回までの収支カウンタの値を不揮発メモリから読み込み収支カウンタにセットすることで前回からの収支を継続してカウントをすることを特徴とする。【０００７】また本発明は、遊技者が収支カウンタリセットスイッチを押下することによりにより、収支カウンタの値を０にリセットすることができることを特徴とする。
【発明の効果】
【０００８】請求項１記載の発明によれば、コイン不要装置を用いた遊技にあっても、遊技の結果としてのコイン収支枚数は、収支カウンタ表示器に表された枚数により遊技者が容易に認識することができる。【０００９】請求項２記載の発明によれば、スロット遊技を中断しすべての電源を切断した後に再開する場合であっても、前回の収支カウンタの値から継続した収支カウントが可能である。【００１０】請求項２記載の発明によれば、通常、スロットマシン本体内に設置されるコイン不要装置であっても、コイン収支枚数を表示する表示器は、スロットマシン本体内以外にも設置することができるため、遊技者の見やすい任意の場所に表示器を設置することができる。【００１１】請求項４記載の発明によれば、遊技者は収支カウンタリセットスイッチを押下することで、収支カウントを０にリセットする機構により、遊技者の任意の遊技期間における収支の観測を実施することが可能になる。
【発明を実施するための最良の形態】
【００１２】以下、本発明の一実施例を図面に基づいて説明する。図１はコイン不要装置の制御回路構成を示すブロック図である。【００１３】コイン不要装置１は、コイン不要装置全体の制御をつかさどるＣＰＵ２と、ＣＰＵ２から制御信号を入力または出力を行うＩ／Ｏポート４とコイン不要装置の電源がＯＦＦになっても数値データを保持する不揮発メモリ３とから構成される。【００１４】ベットスイッチ５は、遊技者がコイン投入の代わりにベットを行う時に押下するスイッチであり、ベットスイッチ５が押下されるとＩ／Ｏポート４を通じてＣＰＵ２に検出される。【００１５】スロットマシンにはコインブロッカーと呼ばれるコイン投入不可の状態において投入されたコインを排出するための機構がある。このコインブロッカーの駆動電源をコインブロッカー駆動電圧入力６に接続しＩ／Ｏポート４を通じてＣＰＵ２へコインブロッカー動作状態か非作動状態か検出される。これはコイン不要装置１がコインセレクター投入パルス出力７の出力が可能か否かの判定に用いられる。【００１６】スロットマシンは、コインが投入されるとコイン投入パルスを出力するコインセレクタにより、コインが正しくベットされたことを検出する。コインセレクタ投入パルス出力７は、コインセレクタの代わりにスロットマシンに接続され、ベットスイッチ５が押下された時にコインがベットされた時と同等の信号を出力し、スロットマシンにコインが投入されたことを検出せしめるためのものである。【００１７】ここで収支カウンタとはＣＰＵ２の揮発メモリに確保された値であり、コイン１枚投入動作により１減算され、コイン１枚排出動作により１加算されるカウンタである。【００１８】コインセレクタ投入パルス７によりコイン１枚投入時と同等の信号をスロット本体に出力した後、ＣＰＵ内部の収支カウンタを１減算し、収支カウンタの値を不揮発メモリ３に書込を行う。さらに収支カウンタ表示器１０に変更された収支カウンタの値をＩ／Ｏポート４を通じて出力し、更新された収支カウンタの値を表示させる。【００１９】コインブロッカー駆動電圧入力６に電圧が印加されている場合には、コインセレクター投入パルス出力７が非受付状態であるために遊技者がベットスイッチ５を押下した場合でも、ベットスイッチ５を押下した状態は無効とする制御を行う。【００２０】スロットマシンは、入賞により遊技者に配当されるコインを排出するホッパーという装置がある。ホッパーはホッパー内部に設置されたモータを動力としてコインを払い出す。ホッパー駆動モータ電圧入力８は、ホッパーに設置されたモータを駆動するための電力ケーブルを接続しモータを動作させるタイミングすなわちスロット本体がコインの払い出しを要求していることを検出する。【００２１】ホッパーは、モータを動力としてコインを払い出すとコインが排出されたことを検出するコイン排出センサーがあり、コイン１枚を排出する毎にホッパーコイン排出センサーにより検出され、スロットマシ本体へコインが１枚排出が完了したことを通知する。ホッパーコイン排出パルス出力９は、ホッパーから出力されるコイン排出パルスの代わりにスロットマシンに接続されスロットマシンへコイン排出が完了したことを通知する。【００２２】ホッパーコイン排出パルス出力９によりスロット本体へ１枚コインが排出されたことを通知した後、ＣＰＵ内部の収支カウンタを１加算し、収支カウンタの値を不揮発メモリ３に書込を行う。さらに収支カウンタ表示器１０に変更された収支カウンタの値をＩ／Ｏポート４を通じて出力し、最新の収支カウンタの値を表示させる。【００２３】収支カウンタ表示器１０は、Ｉ／Ｏポート４を通じてＣＰＵ２で計算された収支カウンタの値を常に表示する。【００２４】収支カウンタリセットスイッチ１１は、押下されるとＩ／Ｏポート４を通じてＣＰＵ２に検出され、ＣＰＵ２は収支カウンタの値を０にリセットする。【００２５】不揮発メモリ３は、コイン不要装置１の電源投入時に不揮発メモリ３の内容を読み込み、前回までの収支カウンタの値を読み込むことにより、前回の電源を切断時からの収支カウンタの値から値を継続して収支を計算処理することができる。【００２６】次に図２のフローチャートを参照しながら、本実施の形態の主な動作について説明する。まずコイン不要装置１に電源が投入されると不揮発メモリ３より前回までの収支カウンタ値を取得し現在の値とする。初回に使用する場合は当然のことながら収支カウンタ値は０となる。（ステップ２０１）【００２７】ホッパー駆動モータ電圧入力８をチェックし、電圧が印加されている場合にはスロット本体はコイン排出動作状態になっているためホッパーコイン排出動作（ステップ２０９〜）を実行する。【００２８】コイン排出動作は、ホッパー駆動モータ電圧入力８の電圧印加が検出された後、ホッパーのコイン排出動作と同等の１０ｍｓｅｃの待ちを行い（ステップ２０９）ホッパーコイン排出パルスを出力する。（ステップ２１０）コインを一枚排出したので収支カウンタの値を１加算する。ステップ２０７へ進む【００２９】ホッパー駆動モータ電圧入力８をチェックし電圧が印加されていない場合には、ベットスイッチ５が押下されているかチェックする（ステップ２０３）。押下されている場合には、スロット本体がコイン投入パルス出力をして良い状態かどうかコインブロッカー駆動電圧入力６に電圧が印加されているかどうかチェックする（ステップ２０４）。【００３０】コインブロッカー駆動電圧入力６に電圧が印加されている場合には、コイン投入動作は実行できないのでステップ２０２へ進む。【００３１】コインブロッカー駆動電圧入力６に電圧が印加されている場合には、コインセレクター投入パルス出力７へパルスを出力し、スロット本体へコインが投入された事を通知する（ステップ２０５）。次に収支カウンタの値を１減算し（ステップ２０６）、ステップ２０７へ進む。【００３２】ステップ２０３のベットスイッチ５が押下されているかチェックし、押下されていない場合は収支カウンタリセットスイッチが押下されているかチェックする（ステップ２１２）。押下されていた場合には収支カウンタの値を０にリセットし（ステップ２１３）ステップ２０７へ進む。収支カウンタリセットスイッチが押下されていない場合は、ステップ２０２へ進む。【００３３】ステップ２０７は、収支カウンタの値が変更された場合に実行される処理であり、変更された収支カウンタの値を不揮発メモリ３へ書き込む（ステップ２０７）。【００３４】変更された収支カウンタの値を収支カウンタ表示器１０へ表示させるため、収支カウンタの値を収支カウンタ表示器１０へ出力する。そしてステップ２０２へ戻る。【００３５】図３は、図２に示す収支カウンター表示器１０を示す図である。
コイン不要装置１と電気的に接続する接続ケーブル３０１と数字表示部３０２により収支カウンタの値を表示する。
【図面の簡単な説明】
【図１】本発明の一実施形態によるコイン不要装置の制御回路構成を示すブロック図である。
【図２】本発明の一実施形態によるコイン不要装置の処理概略を示すフローチャートである。
【図３】本発明の一実施形態によるコイン不要装置の収支表示器の概要を示す図である。
【符号の説明】
１・・・コイン不要装置
２・・・ＣＰＵ
３・・・不揮発メモリ
４・・・Ｉ／Ｏポート
５・・・ベットスイッチ
６・・・コインブロッカー駆動電圧入力
７・・・コインセレクター投入パルス出力
８・・・ホッパー駆動モータ電圧入力
９・・・ホッパーコイン排出パルス出力
１０・・収支カウンタ表示器
１１・・収支カウンタリセットスイッチ
３０１・・接続ケーブル
３０２・・数字表示部
【図１】
2006034932.tif 000003
【図２】
2006034932.tif 000004
【図３】
2006034932.tif 000005